(57)【要約】      （修正有）【課題】衛生上の問題発生を回避すべく風船の口筒に口に銜えた空気の吹き込みでは開かず、空気ポンプの押し込みで開く空気取り入れ口を設けてなる風船おもちゃを提供する。【解決手段】風船本体１の口部１ａに口筒を着脱自在に設け、口筒の空気取り入れ口２２ｆを少なくとも大人の指が入らない程度の大きさとし、空気取り入れ口２２ｆには該空気取り入れ口２２ｆを塞ぐ蓋片３を、人の息の吹き込み力よりも大きい力で折り曲げ可能に連結する。風船本体１に空気を取り入れる時は、手動式空気ポンプＰの空気吹出筒Ｐ１を空気取入口２２ｆを押し曲げながら挿入する。その後、手動式空気ポンプＰを操作して、空気を風船１内に圧入する。【選択図】図４
0003153581.tif 000002
【実用新案登録請求の範囲】
【請求項１】
風船本体の口部に口筒を着脱自在に設け、口筒の空気取り入れ口を少なくとも大人の指が入らない程度の大きさとし、空気取り入れ口には該空気取り入れ口を塞ぐ蓋片を配置し、この蓋片を人の息の吹き込み力よりも大きい力で折り曲げ可能に連結したことを特徴とする風船おもちゃ。
【請求項２】
上記空気取り入れ口の内径は１０ｍｍ以下としたことを特徴とする、請求項１に記載の風船おもちゃ。
【請求項３】
上記蓋片は上記空気取り入れ口の内周面に複数個設けられていることを特徴とする、請求項１又は２に記載の風船おもちゃ。
【請求項４】
上記蓋片は上記空気取り入れ口の内周面に２個設けられ、各蓋片は半円形に形成され、円弧部の中央部で空気取り入れ口に折り曲げ可能に連結されていることを特徴とする、請求項１〜３のいずれかに記載の記載の風船おもちゃ。
【請求項５】
上記口筒は笛機能を有することを特徴とする、請求項１〜４のいずれかに記載の風船おもちゃ。
【考案の詳細な説明】
【技術分野】
【０００１】
本考案は、特に風船おもちゃを口ではなく空気ポンプで膨らますための口筒を改良した風船おもちゃに関する。
【背景技術】
【０００２】
プロ野球の球場等で観戦する際の応援グッズとして、内部に空気を入れた状態で細く長い略棒状の風船おもちゃを一斉に空中に飛ばすことが広く行われている。この風船おもちゃは、空気を入れて膨らました状態の風船の空気取り入れ口を手で塞いで空気が流出しないように保持しておき、タイミングを見計らって上方に放出することで空気取り入れ口から空気を噴出させ、その噴出力を推進力として空中に飛ばすものであり、風船をいっせいに空中に飛ばすことで選手達を鼓舞して試合を盛り上げるようにしている。風船おもちゃの口には通常は笛機能を有する口筒が付いており、口筒から空気が噴射される際にピーという音も発生するようになっている。
【０００３】
ところで、風船おもちゃを膨らませるためには空気ポンプを使用して行うものが知られている（特許文献１参照）が、多くは口筒をくわえて息を吹き込むものである。空気ポンプによる場合も、息を吹き込んで膨らませることができる。したがって、風船おもちゃはすべて口筒を口で銜えて空気を吹き込んで膨らませることができるものと考えてよい。
【先行技術文献】
【特許文献】
【０００４】
【特許文献１】実用新案登録第３１４４１１８号公報
【考案の概要】
【考案が解決しようとする課題】
【０００５】
しかしながら、口筒を口に銜えて風船を膨らますことは衛生上好ましいことではない。球場などでいっせいに多数の風船おもちゃを放出すると、風船内に吹き込まれた人の息が下方に、つまり球場などに向かって噴出されることになり、それが大気に拡散して観客の皮膚や食べ物に付着する可能性がある。昨今話題となった新型インフルエンザの流行や食品汚染等の社会問題を考慮すると、風船の口筒を口に銜えるという行為からくる衛生上の問題は軽視することができるものではなく、このための何らかの具体化された対策が必要とされている。
【０００６】
本考案は上記問題点を解消し、息を吹き込んでは膨らますことができないようにした風船おもちゃを提供することをその課題とする。
【課題を解決するための手段】
【０００７】
請求項１に係る考案は、風船本体の口部に口筒を着脱自在に設け、口筒の空気取り入れ口を少なくとも大人の指が入らない程度の大きさとし、空気取り入れ口には該空気取り入れ口を塞ぐ蓋片を配置し、この蓋片を人の息の吹き込み力よりも大きい力で折り曲げ可能に連結したことを特徴とする。
【０００８】
請求項２に係る考案は請求項１において、上記空気取り入れ口の内径は１０ｍｍ以下としたことを特徴とする。
【０００９】
請求項３に係る考案は請求項１又は２において、上記蓋片は上記空気取り入れ口の内周面に複数個設けられていることを特徴とする。
【００１０】
請求項４に係る考案は請求項１〜３のいずれかにおいて、上記蓋片は上記空気取り入れ口の内周面に２個設けられ、各蓋片は半円形に形成され、円弧部の中央部で空気取り入れ口に折り曲げ可能に連結されていることを特徴とする。
【００１１】
請求項５に係る考案は請求項１〜３のいずれかにおいて、上記口筒は笛機能を有することを特徴とする。
【考案の効果】
【００１２】
請求項１及び請求項２に係る考案によれば、口筒の空気取り入れ口から息を吹き込む程度では蓋片は曲がらないので、息を吹き込むことによって風船本体を膨らませることはできない。また、空気取り入れ口から指を入れることもできないので、指で蓋片を折り曲げることはできない。これに対し、例えば空気ポンプの空気吹き出し筒を空気取り入れ口に挿入ときに蓋片に強く押し付けることで蓋片を折り曲げ、そのまま吹き出し筒を口筒内に進入させることで蓋片は空気取り入れ口の内側にほぼ直角に折り曲げられた状態に保持される。この状態で空気ポンプから風船本体に空気を入れて膨らませた後、空気ポンプを外し、空中に放出してやればよい。蓋片は戻ることはないが、たとえ戻っても空気の噴出力によって空気取り入れ口の外側に押し出され、空気取り入れ口を塞ぐことはない。このように、口筒から息を吹き込んで風船を膨らませることはできないので、従来のような衛生上の問題は発生しない。
【００１３】
また、蓋片は折り曲げられるだけで空気取り入れ口と一体に形成され、使用後でも口筒から離脱しないので、周囲に散乱することはない。
【００１４】
請求項３に係る考案によれば、上記蓋片は空気取り入れ口の内周面に沿って複数個設けられているので、空中に放出されたときに空気の噴出方向が風船本体の長さ方向と同じになりやすい。したがって、高く飛ばすことができる。
【００１５】
請求項４に係る考案によれば、蓋片は空気取り入れ口の内周面に沿って２個設けられ、各蓋片は半円形に形成され、上記折り曲げ部は円弧部の中央部に設けられているので、空気ポンプ等により押し曲げられたときに、観音開きのように開く。このように、蓋片は両側に折れ曲がるので、空中に放出されたときに空気の噴出方向が風船本体の長さ方向と同じになって飛び方向が安定し、高く飛ばすことができる。
【００１６】
請求項５に係る考案によれば、口筒は笛機能を有するから、風船おもちゃの飛び舞う姿と音により、選手や観客を鼓舞することができる。
【図面の簡単な説明】
【００１７】
【図１】図１は、風船おもちゃと空気ポンプを示す側面図である。
【図２】（ａ）（ｂ）は、風船おもちゃの口筒を示す図であり、（ａ）は口筒の分解斜視図、（ｂ）は組み立てられた口筒の斜視図である。
【図３】口筒の空気取り入れ口側から見た正面図である。
【図４】（ａ）（ｂ）は、口筒の使用態様を示す断面図であり、（ａ）は口筒に空気ポンプを挿入する前の状態図、（ｂ）は口筒に空気ポンプを挿入した後の状態図である。
【考案を実施するための形態】
【００１８】
図１において符号Ａは本考案の風船おもちゃ、Ｐは空気ポンプを示す。
【００１９】
風船おもちゃＡは、天然ゴム等の伸縮性のある材料からなる風船本体１と、風船本体１の口部１ａに取り付けられた口筒２とから構成され、ゴム風船本体１は空気が入れられて膨らんだ状態において細くて長い略棒状の形状を呈している。風船本体の形状は限定されるものではなく、一部に膨らみがあってもよい。
【００２０】
ゴム風船本体１の口部１ａに取り付けられた空気を入れるための口筒２は、図２（ａ）（ｂ）に図示されるように、２つの分割部材として樹脂成型で成型された短い略筒形の２つの口筒部材２１、２２の結合体からなり、これら２つの口筒部材２１、２２が互いに嵌合して一体的に結合されて形成されている。なお、口筒２は一方から空気を吹き込むことによって音が発生する笛機能を有する構造となっている。
【００２１】
一方の口筒部材２１は、ゴム風船本体１の口部１ａに取り付け固定されるものであり、中空の比較的短い筒形の外周部に風船の口部１ａに嵌め込まれる環状フランジ２１ａを備え、また環状フランジ２１ａを挟んで互いに離反する方向に突出する２つの短い筒部分２１ｂ、２１ｃを有している。
【００２２】
一方の筒部分２１ｂは、ゴム風船本体１の口部１ａに上記環状フランジ２１ａが嵌め込まれた状態において風船本体１の口部１ａの内部側に位置し、その端部には端面部２１１を有しており、この端面部２１１の内側から筒状壁２１２が形成されている。したがって、筒部分２１ｂは実質２重筒の構造になっている。また、上記端面部２１１には口筒２に挿入される手動の空気ポンプＰの空気送入口Ｐ１（図１参照）の先端を口筒２内を通過して風船本体１内に位置付けるための開口２１ｅ（図４も参照）が設けられている。なお、他方の筒部分２１ｃの端面の方が筒状壁２１２の端面よりも長くなるように形成されている。そして、筒部分２１ｃと筒状壁２１２との間には環状溝２１ｄが形成されている。
【００２３】
口筒部材２２は、口筒部材２１と同様、中空の比較的短い筒形の外周部に上記口筒部材２１の環状フランジ２１ａと同径の環状フランジ２２ａを備え、フランジ２２ａを挟んで互いに離反する方向に突出する２つの筒部分２２ｂ、２２ｃを備えている。
【００２４】
一方の筒部分２２ｂの端部には端面部２２１が形成され、この端面部２１１に空気取り入れ口２２ｆが開口している。この空気取り入れ口２２ｆは少なくとも大人の指が入らない程度の大きさに形成されている。通常は直径を１０ｍｍ（好ましくは６〜８ｍｍ程度）に形成すればよい。
【００２５】
次に、空気取り入れ口２２ｆの内周面には、一体成形により、互いに開口の中央で向き合うように対向した２枚の蓋片３が設けられている。これらの蓋片３は口筒に折り曲げ可能に設けられ、一定の力を加えない限り折り曲げて開けることができないように形成されている。各蓋片３は図４の参照により理解できるように、半円形に形成され、空気取り入れ口２２ｆの中央部で口筒に折り曲げ可能に連結されている。蓋片３の連結部３ａは、口筒２を口で銜えて風船本体１に空気を吹き込む程度の空気流の力では折り曲げできず、それよりも大きな力を加えたときに折り曲げられる程度の強度になっている。
【００２６】
また、筒部分２２ｃはやや長めであり、一方の口筒部材２１の内側に嵌まり込むように形成されている。
【００２７】
風船本体１の口部１ａに取り付けられる口筒２は、風船本体１への取り付け前に口筒部材２１、２２が互いに組み付けられて一体化される。つまり、一方の口筒部材２１の環状溝２１ｄに他方の口筒部材２２の筒部分２２ｃを嵌め込むことで図２（ｂ）のように互いに結合して一体化する。
【００２８】
上記構成の口筒２は、２つの同径の環状フランジ２１ａ、２２ａを外周部に備えた短めの略筒形を呈し、略筒形の一方の端部に蓋片３を有する空気取り入れ口２２ｆが設けられている。
【００２９】
風船本体１の口部１ａに口筒２を取り付けるときは、図４（ａ）（ｂ）に示されるように、口部１ａの肉厚の開口端部１ｂを２つの環状フランジ２１ａ、２２ａ間に位置するように嵌め込めばよい。
【００３０】
次に、上記構成の風船本体１に空気を取り入れるにあたり、口筒２の蓋片３を指で押し込んで曲げようとしても、空気取り入れ口２２ｆは少なくとも大人の指が入らない程度の大きさの、直径が１０ｍｍ以下（好ましくは６〜８ｍｍ程度）に形成されているから、指ではほとんど曲げることはできない。また、息を強く吹き込んでも、蓋片３を折り曲げることはできない。
【００３１】
上記構成の風船本体１に空気を取り入れるときは、図４（ａ）に示されるように、市販の手動式空気ポンプＰの空気吹き出し筒Ｐ１を口筒２の空気取り入れ口２２ｆの内部に押し込む。この押し込み力によって空気取り入れ口２２ｆの蓋片３を押し開くようにして折り曲げるから、空気取り入れ口２２ｆは観音開きのように開口し、蓋片３ほぼ直角に折り曲げられた状態に保持される。空気吹き出し筒Ｐ１を空気取り入れ口２２ｆに挿入した後、手動で空気ポンプＰを作動させて空気を送り込み、風船本体１が十分に膨らんだ時点で手動空気ポンプＰの作動を停止して取り外し、指で空気取り入れ口２２ｆを塞げばよい。そして、タイミングを見計らって、風船Ａを空中の所望の方向に向けて上記片方の手を放せばよい。
【００３２】
空中に放出された風船おもちゃＡは、空気取り入れ口２２ｆから空気を噴出してその推進力で空中に飛ばされる。この時、空気取り入れ口２２ｆは笛の吹き口のような作用をするので、噴出する空気流により笛音が発せられる。
【００３３】
また、風船おもちゃＡを飛ばした場合、一端折り曲げられた蓋片３は戻ることはない。たとえ戻っても空気の噴出力によって空気取り入れ口２２ｆの外側に押し出され、空気取り入れ口２２ｆを塞ぐことはない。
【００３４】
以上のように、上記風船おもちゃＡは口筒２から息を吹き込んで風船を膨らませることはできないので、従来のような衛生上の問題は発生することはない。
【００３５】
なお、蓋片の数は２枚に限定されない。１個でもよく、等間隔に３個以上設けてもよい。また、蓋片は中央部の連結部３ａ以外の部位でもさらに微小な連結部３ａによって連結されるように構成してもよい。
【００３６】
また、蓋片は必ずしも完全に空気取り入れ口を塞ぐ必要はない。例えば、蓋片をメッシュ状にしたり、２つの蓋片を設ける場合、一方の蓋片と他方の蓋片の連結位置を多少ずらしてもよい。
【符号の説明】
【００３７】
１          風船本体
１ａ        風船の口部
２          口筒
２１、２２    一方及び他方口筒部材
２１ａ、２２ａ    環状フランジ
２２ｆ      口筒の空気取り入れ口
３          蓋片
Ａ          風船おもちゃ
Ｐ          空気ポンプ
【図１】
0003153581.tif 000003
【図２】
0003153581.tif 000004
【図３】
0003153581.tif 000005
【図４】
0003153581.tif 000006